(57)【要約】      （修正有）【課題】やりが刺さり易く、しかも施工が容易で低コストである人工芝生敷設構造を提供する。【解決手段】基礎１の上に下層２が設けられ、その上に砂等の粒状物Ｓ’が芝葉３２間に充填された人工芝生３０よりなる上層３が設けられている。下層２は、織布又は不織布よりなるハニカム構造体２０のポケット穴に砂等の粒状物Ｓを充填したものである。粒状物Ｓ，Ｓ’の層の合計厚さＨ１＋Ｈ３は６０ｍｍ以上である。ハニカム構造体の前記ポケット穴の開口面積が２，０００〜１０，０００ｍｍ２である。【選択図】図１
2020094398.tif 000002
【特許請求の範囲】
【請求項１】
基礎と、
該基礎上に設けられた、粒状物を含む下層と、
該下層の上に設けられた、粒状物を含む人工芝生と
を有する人工芝生敷設構造において、
該下層は、上面が開放し、底面が閉鎖された穴よりなるポケット穴を有したハニカム構造体を備え、
該ポケット穴に前記粒状物がハニカム構造体の上面と面一状に充填されていることを特徴とするやり投てき用人工芝生敷設構造。
【請求項２】
前記ポケット穴に充填された前記粒状物中の弾性粒状物の割合が５０体積％以下であることを特徴とする請求項１に記載のやり投てき用人工芝生敷設構造。
【請求項３】
前記ポケット穴に充填された前記粒状物は、硬質粒状物よりなるか、又は硬質粒状物を主体とするものであることを特徴とする請求項１又は２に記載のやり投てき用人工芝生敷設構造。
【請求項４】
前記ポケット穴に充填された粒状物の充填層は、山中式土壌硬度計による平均表面硬さが０．５ｋｇ／ｃｍ２以上３０ｋｇ／ｃｍ２以下、かつ１０回計測したときの該表面硬さ測定値の標準偏差が１０ｋｇ／ｃｍ２以下であることを特徴とする請求項１〜３のいずれか１項に記載のやり投てき用人工芝生敷設構造。
【請求項５】
前記ポケット穴に充填された粒状物の粒径が５ｍｍ以下であることを特徴とする請求項１〜４のいずれか１項に記載のやり投てき用人工芝生敷設構造。
【請求項６】
前記ハニカム構造体の前記ポケット穴の開口面積が２，０００〜１０，０００ｍｍ２であることを特徴とする請求項１〜５のいずれか１項に記載のやり投てき用人工芝生敷設構造。
【請求項７】
前記ハニカム構造体は、ハニカム状格子壁体と、該格子壁体の底面に固着された底部シートとを有する、又は該ハニカム状格子壁体と一体形成された底面を有することを特徴とする請求項１〜６のいずれか１項に記載のやり投てき用人工芝生敷設構造。
【請求項８】
前記ハニカム構造体は合成樹脂繊維の織布又は不織布よりなることを特徴とする請求項７に記載のやり投てき用人工芝生敷設構造。
【請求項９】
前記下層の粒状物の厚さＨ１と、前記人工芝生の前記粒状物の厚さＨ３との合計Ｈ１＋Ｈ３が６０〜１６０ｍｍであることを特徴とする請求項１〜８のいずれか１項に記載のやり投てき用人工芝生敷設構造。
【発明の詳細な説明】
【技術分野】
【０００１】
本発明は、投てき競技場に適用される人工芝生敷設構造に係り、特にやり（槍）投げに好適な人工芝生敷設構造に関する。
【背景技術】
【０００２】
投てき競技場のフィールドに適用される人工芝生敷設構造が特許文献１，２に記載されている。
【０００３】
特許文献１の人工芝生敷設構造は、基礎層上に人工芝生を敷設し、砂等を芝葉間に充填したものである。特許文献１の人工芝生敷設構造は、ハンマー、円盤又は砲丸の落下痕跡を確実に形成するためのものであり、やりが刺さり易くなるようにするためのものではない。
【０００４】
特許文献２の人工芝生敷設構造は、人工芝生を２層に敷設し、下層の人工芝生の芝葉には芝葉の上端に至るまで珪砂を充填し、上層の人工芝生には芝葉の途中まで珪砂を充填したものである。特許文献２の人工芝生敷設構造は、やりが上層を貫通しても下層で止まるようにし、やりの損傷を防止することを企図したものである。
【先行技術文献】
【特許文献】
【０００５】
【特許文献１】特開２０１５−１０８２４７号公報
【特許文献２】特開２０１５−１４８１４６公報
【発明の概要】
【発明が解決しようとする課題】
【０００６】
特許文献２の人工芝生敷設構造では、下層が人工芝生と、該人工芝生の芝葉間に、芝葉の上端に至るまで充填された珪砂とで構成されている。一般に、人工芝生の芝葉の上端高さは、芝葉毎にバラツキがある。そのため、芝葉上端まで珪砂を充填した下層にあっては、その上面に不陸が生じ易い。不陸を抑制するためには芝葉の長さを均一に揃えるようにすることが必要であるが、そのような人工芝生を製造することは容易ではない。
【０００７】
また、人工芝生を２層に敷設するところから、資材コストが高い。
【０００８】
本発明は、やりが刺さり易く、しかも施工が容易で低コストである人工芝生敷設構造を提供することを目的とする。
【課題を解決するための手段】
【０００９】
本発明のやり投てき用人工芝生敷設構造は、基礎と、該基礎上に設けられた、粒状物を含む下層と、該下層の上に設けられた、粒状物を含む人工芝生とを有する人工芝生敷設構造において、該下層は、上面が開放し、底面が閉鎖された穴よりなるポケット穴を有したハニカム構造体を備え、該ポケット穴に前記粒状物がハニカム構造体の上面と面一状に充填されていることを特徴とする。
【００１０】
本発明のやり投てき用人工芝生敷設構造の一態様では、前記ポケット穴に充填された前記粒状物中の弾性粒状物の割合が５０体積％以下である。
【００１１】
本発明のやり投てき用人工芝生敷設構造の一態様では、前記ポケット穴に充填された前記粒状物は、硬質粒状物よりなるか、又は硬質粒状物を主体とする。
【００１２】
本発明のやり投てき用人工芝生敷設構造の一態様では、前記ポケット穴に充填された粒状物の充填層は、山中式土壌硬度計による平均表面硬さが０．５ｋｇ／ｃｍ２以上３０ｋｇ／ｃｍ２以下、かつ１０回計測したときの該表面硬さ測定値の標準偏差が１０ｋｇ／ｃｍ２以下である。
【００１３】
本発明のやり投てき用人工芝生敷設構造の一態様では、前記ポケット穴に充填された粒状物の粒径が５ｍｍ以下である。
【００１４】
本発明のやり投てき用人工芝生敷設構造の一態様では、前記ハニカム構造体の前記ポケット穴の開口面積が２，０００〜１０，０００ｍｍ２である。
【００１５】
本発明のやり投てき用人工芝生敷設構造の一態様では、前記ハニカム構造体は、ハニカム状格子壁体と、該格子壁体と該格子壁体の底面に固着された底部シートを有する、又は該ハニカム状格子壁体と一体形成された底面を有する。
【００１６】
本発明のやり投てき用人工芝生敷設構造の一態様では、ハニカム構造体は合成樹脂繊維の織布又は不織布よりなる。
【００１７】
本発明のやり投てき用人工芝生敷設構造の一態様では、前記下層の粒状物の厚さＨ１と、前記人工芝生の前記粒状物の厚さＨ３との合計Ｈ１＋Ｈ３が６０〜１６０ｍｍである。
【発明の効果】
【００１８】
本発明のやり投てき用人工芝生敷設構造は、やりが刺さり易く、また下層の施工が容易であり、その資材コストも安価である。
【図面の簡単な説明】
【００１９】
【図１】実施の形態に係る人工芝生敷設構造の断面図である。
【図２】ハニカム構造体の一部の平面図である。
【図３】ハニカム構造体の一部の斜視図である。
【図４】図３のIV−IV線断面図である。
【図５】別のハニカム構造体の一部の斜視図である。
【図６】図５のIV−IV線断面図である。
【発明を実施するための形態】
【００２０】
以下、図面を参照して実施の形態について説明する。図１は、実施の形態に係る人工芝生敷設構造の縦断面図である。
【００２１】
基礎１の上に下層２が設けられ、該下層２の上に上層３（人工芝生層）が設けられている。基礎１は、地盤（図示略）上に設けられたのであり、砕石、砂利及び砂等の１又は２以上を所定厚さ１００ｍｍ以上に敷き詰めることにより形成される。
【００２２】
下層２は、図２〜６に示すハニカム構造体２０のポケット穴２５に粒状物Ｓを充填したものである。ハニカム構造体２０は、ハニカム状格子壁体２１と、該格子壁体２１の底面に接着剤等で固着された底部シート２２とを有する、又はハニカム状格子壁体２１と一体形成された底面を有する。
【００２３】
格子壁体２１は、ポリプロピレン、ポリエチレン、ナイロン、ポリエチレンテレフタレート等の合成樹脂繊維の織布又は不織布よりなる多数の波板状ストリップが長手方向を平行として引き揃えられ、隣接する波板状ストリップの波の頂点部同士を接着剤等で接合したハニカム構造を有する。隣接する波板状ストリップ同士の間にポケット穴２５が形成される。ポケット穴２５は、上方に向って開放し、底部は一体形成又は底部シート２２によって閉鎖されている。波板状ストリップの厚さｔは０．１〜０．７ｍｍ特に０．２〜０．５ｍｍ程度が好ましい。
【００２４】
底部シート２２も、波板状ストリップと同様の織布又は不織布よりなる。底部シート２２の厚さは０．１〜０．７ｍｍ特に０．２〜０．５ｍｍ程度が好ましい。
【００２５】
ポケット穴２５の平面視形状は略方形（この実施の形態では略菱形）である。１個のポケット穴２５の開口面積は２，０００〜１０，０００ｍｍ２特に３，０００〜６，０００ｍｍ２程度が好ましい。
【００２６】
ポケット穴２５の深さ、すなわち格子壁体２１の高さＨ１は４０〜７０ｍｍ特に４５〜６０ｍｍ程度が好適である。
【００２７】
このようなハニカム構造体２０としては、ＴｅｎＣａｔｅ社から販売されているＡｃｃｏｒｄｅｒ（登録商標）等を用いることができる。このハニカム構造体は、人工芝生に比べて安価である。
【００２８】
なお、ハニカム構造体２０のポケット穴２５の平面視形状は、略方形に限定されるものではなく、略三角形、略六角形、略八角形や、略円形、略楕円形、略半円形、略半楕円形等であってもよい。
【００２９】
上層３は、人工芝生３０と、人工芝生３０の芝葉３２の間に充填された粒状物Ｓ’とで構成されている。人工芝生３０は、シート状基材３１と、該シート状基材３１から植え立てられたように起立する芝葉３２とを有する。
【００３０】
シート状基材３１は、ポリエチレン、ポリプロピレン、ナイロン、ポリエチレンテレフタレート等の合成樹脂繊維の織物シート等が用いられ、通常、その厚さは０．１〜０．７ｍｍ特に０．２〜０．５ｍｍ程度である。
【００３１】
芝葉３２としては、ポリエチレン、ポリプロピレン、ナイロン、ポリ塩化ビニル、ポリ塩化ビニリデンなどからなる、緑色、白色、黄色又は青色等着色されたモノフィラメントヤーン、マルチフィラメントヤーン及びスリットヤーンなどが好適である。
【００３２】
シート状基材３１の上面からの芝葉３２の高さＨ２は４０〜１２０ｍｍ特に５０〜１２０ｍｍ程度が好ましい。
【００３３】
このような人工芝生としては、市販のものを用いることができる。
【００３４】
次に、下層２及び上層３に用いられる粒状物Ｓ，Ｓ’について説明する。なお、粒状物の粒径はＪＩＳ篩による値である。
【００３５】
下層２の粒状物Ｓは、砂等の硬質粒状物、又はゴムチップあるいはプラスチック等の弾性粒状物を有している。下層２の粒状物Ｓは、弾性粒状物を５０体積％以下含有してもよく、好ましくは４０体積％以下、より好ましくは２０体積％以下、さらに好ましくは１０体積％以下であり、特に好ましくは硬質粒状物よりなる。粒状物Ｓの硬質粒状物としては、粒径が５ｍｍ以下、特に３ｍｍ以下の珪砂、その他の砂が好適である。このような砂の充填層は、やりが刺さり易く、また充填層の硬度のバラツキが小さい。
【００３６】
ポケット穴２５には、粒状物Ｓがハニカム構造体２０の格子壁体２１の上端と面一状となるように充填される。格子壁体２１の上端面が見える程度であれば、若干量の粒状物が格子壁体２１の上端面に存在してもよい。
【００３７】
なお、ハニカム構造体２０を用いることなく基礎１上に砂を直接に敷いて砂層を形成した場合、厚みが均一になるように砂層を形成することが容易ではない。また、施工後に踏んだ場合、砂が横方向に逃げて踏み跡（凹所）が生じ易くなるおそれがある。
【００３８】
これに対し、基礎１上にハニカム構造体２０を配置してからポケット穴２５に砂を面一状に充填すると、均一厚みの砂層が容易に形成される。また、砂層が踏まれても、砂が横方向に逃げることがハニカム構造体２０によって防止され、踏み跡（凹所）が生じることが防止される。
【００３９】
本発明では、ポケット穴２５に砂等を充填して形成した充填層の山中式土壌硬度計による平均表面硬さが０．５〜３０ｋｇ／ｃｍ２であり、かつ１０回以上計測したときの表面硬さ測定値の標準偏差が１０ｋｇ／ｃｍ２以下であることが好ましい。より好ましくは、充填層の山中式土壌硬度計による平均表面硬さが１〜２０ｋｇ／ｃｍ２、かつ１０回以上計測したときの表面硬さ測定値の標準偏差が８ｋｇ／ｃｍ２以下であり、特に好ましくは充填層の山中式土壌硬度計による平均表面硬さが３〜１０ｋｇ／ｃｍ２、かつ１０回以上計測したときの表面硬さ測定値の標準偏差が６ｋｇ／ｃｍ２以下である。上述の表面硬さ特性であると、やりが刺さり易く、またやりの先端が基礎１に達することなく下層２の途中で停止し易い。
【００４０】
上層３の粒状物Ｓ’は、粒径が３ｍ以下、好ましくは２．３６ｍｍ以下程度の砂等の硬質粒状物よりなることが好ましいが、ゴム等よりなる弾性粒状物を４０体積％以下程度含んでもよい。上層３においては、硬質粒状物と弾性粒状物が混合されていてもよく、硬質粒状物と弾性粒状物とが積層構造を有していてもよい。
【００４１】
粒状物Ｓ’は、その充填層厚さＨ３が芝葉３２の高さＨ２の３５〜９５％特に５０〜９０％程度となるように芝葉３２間に充填されることが好ましい。
【００４２】
粒状物Ｓの層厚さ（Ｈ１）と粒状物Ｓ’の層厚さ（Ｈ３）との合計Ｈ１＋Ｈ３は６０ｍｍ以上、例えば６０〜１６０ｍｍ特に９０〜１２０ｍｍ程度であることが好ましい。この合計厚さとすることにより、突き刺さったやりの先端が基礎１にまで達することが十分に防止される。
【実施例】
【００４３】
［参考例１〜３］
下層２を形成するためのハニカム構造体２０として、図２〜４に示すＴｅｎＣａｔｅ社製Ａｃｃｏｒｄｅｒ（登録商標）を用いた。ポケット穴の開口面積は４，０００〜４，５００ｍｍ２、深さは５０〜６０ｍｍである。
【００４４】
このＡｃｃｏｒｄｅｒのポケット穴に、表１に示す粒状物を充填し、ローラーコンパクターを用いて締固め荷重９００ｋｇｆで締め固めて下層２を形成した。この下層２の充填層の土壌硬度（ｋｇ／ｃｍ２）を山中式土壌硬度計（木屋製作所社製、型番D244）で測定した。結果を表１に示す。
【００４５】
【表１】
2020094398.tif 000003
【００４６】
［実施例１］
砕石よりなる基礎１の上に、参考例１の下層２を設け、その上に人工芝生（株式会社アストロ製、スポーツ用ロングパイル人工芝、パイル長さ４０ｍｍ）を設けた。粒状物Ｓ，Ｓ’として参考例１の砂を用いて、人工芝生敷設構造を形成した。上層３の砂層の厚さＨ３は１５ｍｍとした。
【００４７】
この人工芝生敷設構造に対して、鉛直上方４５０ｃｍの高さ（やり下端高さ）から、長さ２６３ｃｍの投てき競技用やりを鉛直下方に自由落下させ、やりの刺さり状況を観察した。結果を表２に示す。
【００４８】
［実施例２］
実施例１において、粒状物Ｓとして参考例２で用いたものを充填した。その他は実施例１と同一条件とした。結果を表２に示す。
【００４９】
［比較例１］
下層２を、Ｔｒｏｃｅｌｌｅｎ社製ＸＣＦｏｒｍよりなるアンダーパット（厚さ１０ｍｍ）で構成した。その他は実施例１と同一条件とした。結果を表２に示す。
【００５０】
【表２】
2020094398.tif 000004
【００５１】
＜考察＞
実施例１のように、ポケット穴に２．３６ｍｍ以下の粒径を持つ割合が９０％以上である砂を充填した場合には、土壌硬度計が安定した硬度を示すとともに、適度な硬度を持つことから、やりが安定して刺さる。
【００５２】
実施例２（ポケット穴に、２．３６ｍｍ以下の粒径を持つ割合が９０％以上である砂８０％と弾性粒状物、２０％混合充填）の場合には、該混合物に含まれる弾性粒状物の弾性特性の影響を受けて、やりが弾かれる傾向にある。
【００５３】
比較例１のように、クッション性の高い材料よりなるシートで下層を形成した場合は、その弾性特性の影響を受けて、やりが弾かれる傾向が顕著になる。
【００５４】
なお、やりを手で投げて上記の各人工芝生敷設構造に斜め（約４５°）に刺さるようにして試験した結果も、同様の傾向となることが認められた。
【符号の説明】
【００５５】
１  基礎
２  下層
３  上層
２０  ハニカム構造体
２１  格子壁体
２２  底部シート
２５  ポケット穴
３０  人工芝生
３１  シート状基材
３１  芝葉
【図１】
2020094398.tif 000005
【図２】
2020094398.tif 000006
【図３】
2020094398.tif 000007
【図４】
2020094398.tif 000008
【図５】
2020094398.tif 000009
【図６】
2020094398.tif 000010